(57)【要約】【課題】接触性を高めて止水性を向上させることができる止水部材を提供する。【解決手段】第一の止水パッキン（１６）と、第一の止水パッキンの端面が突き当てられる第二の止水パッキン（２３）と、第二の止水パッキンのうち、第一の止水パッキンが突き当てられた面とは反対側に配置され、第二の止水パッキンを第一の止水パッキンに向けて押圧可能な支持体（２４）と、を有する。【選択図】図５
2014109126.tif 000002
【特許請求の範囲】
【請求項１】
第一の止水パッキンと、
前記第一の止水パッキンの端面が突き当てられる第二の止水パッキンと、
前記第二の止水パッキンのうち、前記第一の止水パッキンが突き当てられた面とは反対側に配置され、前記第二の止水パッキンを前記第一の止水パッキンに向けて押圧可能な支持体と、を有する、止水部材。
【請求項２】
前記支持体は、基部と、前記基部から延在しその先端が前記第二の止水パッキンを押圧する支持部と、を有する請求項１に記載の止水部材。
【請求項３】
前記第二の止水パッキンは、取付部と、該取付部から湾曲して延在するひれ部と、を備え、前記支持体は前記ひれ部の湾曲した凹状部側に配置される、請求項１又は２に記載の止水部材。
【請求項４】
建物開口部の縁に沿って配置される上枠、下枠及び２つの縦枠が枠組みされた枠体と、前記枠体の枠内に配置される障子と、を備え、
前記枠体には枠内の入隅部の少なくとも１つに止水部材が配置されており、
前記止水部材は、
前記入隅部を形成する一方の前記上枠、前記下枠又は前記縦枠に配置される第一の止水パッキンと、
前記入隅部を形成する他方の前記上枠、前記下枠又は前記縦枠に配置され、前記第一の止水パッキンの端面が突き当てられる第二の止水パッキンと、
前記入隅部における前記第二の止水パッキンのうち、前記第一の止水パッキンが突き当てられた面とは反対側の前記枠体に配置され、前記第二の止水パッキンを前記第一の止水パッキンに向けて押圧可能である支持体と、を有する、開口部装置。
【請求項５】
前記支持体は、前記枠体に固定される基部と、前記基部から延在しその先端が前記第二の止水パッキンを押圧する支持部と、を有する請求項４に記載の開口部装置。
【請求項６】
前記第二の止水パッキンは、前記枠体に固定される取付部と、該取付部から湾曲して延在するひれ部と、を備え、前記支持体は前記ひれ部の湾曲した凹状部側に配置される、請求項４又は５に記載の開口部装置。
【発明の詳細な説明】
【技術分野】
【０００１】
本発明は、水密性を高める止水部材、及び該止水部材を用いた建物開口部に配置される開口部装置に関する。
【背景技術】
【０００２】
建物の屋内外や隣接する部屋間を連通する建物の開口部には、開口部を開放及び閉鎖する開口部装置が備えられている。この開口部装置には建物の開口部の縁に沿って固定された枠体と、該枠体の枠組みされた枠内に配置される開閉可能な障子と、が備えられており、障子の移動、回動や揺動により開口部の開放及び閉鎖ができるように構成されている。
【０００３】
開口部装置には、例えば特許文献１に表れているように、該開口部装置の閉鎖の姿勢で水密気密を取るために、枠体と障子との接触部となる間に気密材や止水部材が配置されている。特許文献１に記載の気密材には、取付部、気密片、ストッパー、及び補助気密片が備えられ、非気密姿勢のときの気密片を見込み方向に長くして弾性変形代を大きくできるとともに小さな力で弾性変形でき、気密片がストッパーの見込み方向一側面に接すればそれ以上の弾性変形を規制して戸当りとして機能を有するとされている。
【先行技術文献】
【特許文献】
【０００４】
【特許文献１】特開２０１２−９２５６３号公報
【発明の概要】
【発明が解決しようとする課題】
【０００５】
ここで、開口部装置の枠体内の四隅に形成される入隅部では、例えば横枠の止水部材の端面が縦枠の止水部材の側面に突き当てられる形態で止水が行われることがある。このような部位では、両止水部材の接触の状況が位置によって同じにならないことが多く、例え予定通りに建付けができたとしても、及び建付けに若干の誤差が生じた場合にはなおさら、一部に止水が十分でない部位が発生する不具合がある。
このような不具合を開口部装置の施工のやり直しで解消することは、現実的には困難である。また、特許文献１に記載のような従来における止水部材でもこのような問題を解決することができる構成とはなっていない。
【０００６】
そこで本発明は、かかる問題点に鑑み、接触性を高めて止水性を向上させることができる止水部材を提供することを課題とする。また、この止水部材を用いた開口部装置を提供する。
【課題を解決するための手段】
【０００７】
請求項１に記載の発明は、第一の止水パッキン（１６）と、第一の止水パッキンの端面が突き当てられる第二の止水パッキン（２３）と、第二の止水パッキンのうち、第一の止水パッキンが突き当てられた面とは反対側に配置され、第二の止水パッキンを第一の止水パッキンに向けて押圧可能な支持体（２４）と、を有する、止水部材である。
【０００８】
請求項２に記載の発明は、請求項１に記載の止水部材において、支持体（２４）は、基部（２４ａ）と、基部から延在しその先端が第二の止水パッキン（２３）を押圧する支持部（２４ｂ）と、を有する。
【０００９】
請求項３に記載の発明は、請求項１又は２に記載の止水部材において、第二の止水パッキン（２３）は、取付部（２３ａ）と、該取付部から湾曲して延在するひれ部（２３ｂ）と、を備え、支持体（２４）はひれ部の湾曲した凹状部側に配置される。
【００１０】
請求項４に記載の発明は、建物開口部の縁に沿って配置される上枠（１１）、下枠（１４）及び２つの縦枠（１７、２１）が枠組みされた枠体（１０）と、枠体の枠内に配置される障子（３０）と、を備え、枠体には枠内の入隅部の少なくとも１つに止水部材が配置されており、止水部材は、入隅部を形成する一方の上枠、下枠又は縦枠に配置される第一の止水パッキン（１６）と、入隅部を形成する他方の上枠、下枠又は縦枠に配置され、第一の止水パッキンの端面が突き当てられる第二の止水パッキン（２３）と、入隅部における第二の止水パッキンのうち、第一の止水パッキンが突き当てられた面とは反対側の枠体に配置され、第二の止水パッキンを第一の止水パッキンに向けて押圧可能である支持体と、を有する、開口部装置（１）である。
【００１１】
請求項５に記載の発明は、請求項４に記載の開口部装置（１）において、支持体（２４）は、枠体（１０）に固定される基部（２４ａ）と、基部から延在しその先端が第二の止水パッキン（２３）を押圧する支持部（２４ｂ）と、を有する。
【００１２】
請求項６に記載の発明は、請求項４又は５に記載の開口部装置（１）において、第二の止水パッキン（２３）は、枠体（１０）に固定される取付部（２３ａ）と、該取付部から湾曲して延在するひれ部（２３ｂ）と、を備え、支持体はひれ部の湾曲した凹状部側に配置される。
【発明の効果】
【００１３】
本発明によれば、第一の止水パッキンと第二の止水パッキンとの密着を高めることができ、止水性を向上させることが可能である。これによれば、開口部の建付けの誤差があったとしても、両パッキン間の密着は維持され、止水性を確保することができる。
【図面の簡単な説明】
【００１４】
【図１】開口部装置１の斜視図である。
【図２】開口部装置１の正面視である。
【図３】図２のＩＩＩ−ＩＩＩ線に沿った断面図である
【図４】図２のＩＶ−ＩＶ線に沿った断面図である。
【図５】図２にＶ−Ｖで示した線に沿った矢視断面図である。
【図６】図６（ａ）は１つの方向からの支持体２４の斜視図、図６（ｂ）は他の方向からの支持体２４の斜視図である。
【図７】支持体２４の配置について説明する図である。
【図８】支持部材の配置について説明する図である。
【図９】障子３０の開閉にともなう支持部材の作用を説明する図である。
【発明を実施するための形態】
【００１５】
本発明の上記のような作用及び利得は、次に説明する発明を実施するための形態から明らかにされる。以下本発明を図面に示す実施形態に基づき説明する。ただし、本発明はこれら実施形態に限定されるものではない。
なお、ここに示す各図では説明のため一部の部材を省略したり、部材の形状を誇張して表すことがある。
また、以下の説明では、開口部装置が建物開口部に設置された姿勢で、開口部装置により仕切られた部屋から開口部装置を見たときに上下となる方向を見付け方向上下、左右となる方向を見付け方向左右、仕切られた隣接する部屋間の内外方向を見込み方向と記載することがある。さらに、見付け方向左右及び見付け方向上下に平行な面を見付け面、並びに見込み方向に平行な面を見込み面と記載することがある。
【００１６】
図１は、１つの形態に係る開口部装置１を説明する図であり、開口部装置１を浴室側から見た斜視図である。本形態では、開口部装置１は、浴室とこれに隣接する浴室外としての更衣室との間に形成される建物開口部に備えられる。
開口部装置１は、枠体１０、及び該枠体１０の枠内に配置される障子３０を備えている。本形態では開閉軸部材として機能するピボットヒンジにより枠体１０と障子３０とが連結され、該ピボットヒンジを軸として障子３０を揺動させることにより開閉できるように構成されている。
本形態ではこのように障子が揺動することにより開閉する形態を示したが、本発明は後述する止水部材を用いることができれば特に開閉の形態は限定されない。例えば折れ戸式に開閉する障子を備える開口部装置であってもよい。
【００１７】
以下各構成部材について詳しく説明する。図２は、開口部装置１を浴室側正面から見た図である。図３は図２にＩＩＩ−ＩＩＩで示した線に沿った鉛直方向断面図、図４は図２にＩＶ−ＩＶで示した線に沿った水平方向断面図である。
図３及び図４では断面図のうち、上枠１１及び下枠１４、並びに、吊元側縦枠１７及び戸先側縦枠２１が表れる両端部に注目して示し、その間の一部は省略している。また、図３、図４に浴室側、更衣室（浴室外）側が表してある。
ここで、各図では見易さのため、一部の部材を省略したり、部材の形状を誇張、変形して示す場合がある。
【００１８】
枠体１０は、上枠１１、下枠１４、吊元側縦枠１７、及び戸先側縦枠２１が枠組みされて形成されている。
上枠１１は枠体１０のうち上枠を形成する長尺の部材であり、図３に表れる断面を有している。上枠１１は、その長手方向が建物開口部の上縁に沿って配置され、建物躯体に固定されている。上枠１１の断面形状は特に限定されることなく通常の形態を用いることもできる。本形態では、上記したようにピボットヒンジで障子３０を開閉可能とするため、上枠１１のうち吊元側端部には軸受け１１ａが配置されている。
また、上枠１１のうち更衣室側には見付け方向上下の下方に向けて片１１ｂが延びその先端にパッキン１１ｃが取り付けられており、これにより戸当たりが形成されている。
【００１９】
下枠１４は枠体１０のうち下枠を形成する長尺の部材であり、図３に表れる断面を有している。下枠１４は、下枠本体１５、第一止水パッキン１６を有して構成される。
【００２０】
下枠本体１５は、枠体１０の下枠を構成する部材のうち、建物躯体に固定される長尺の部材である。下枠本体１５は、その長手方向が建物開口部の下縁に沿って配置され、建物躯体に固定されている。
図３からわかるように、下枠本体１５は、当該断面において見込み方向に延びる片１５ａを有している。そして該片１５ａの見込み方向の更衣室側で、上記上枠１１のパッキン１１ｃと同じ見込み方向位置に溝１５ｂが設けられている。当該溝１５ｂは下枠本体１５の長手方向全長に亘って延びている。
また、本形態では、上記のようピボットヒンジで障子３０を開閉可能とするため、下枠本体１５のうち吊元側端部には下側ピボット軸１５ｃが上方に向けて突出するように配置されている。
【００２１】
第一止水パッキン１６は、止水部材を構成する部材の１つであり、図３に示した断面形状を有して下枠本体１５の長手方向に沿って延在する長尺の部材である。第一止水パッキン１６は、図３に表れる断面形状において、取付部１６ａ、止水部１６ｂ、及びひれ部１６ｃを有して構成されている。
取付部１６ａは上記した下枠本体１５の溝１５ｂに挿入されて第一止水パッキン１６を保持する機能を有する。取付部１６ａは第一止水パッキン１６を安定して保持する観点から硬質の樹脂やゴムにより形成されていることが好ましい。
止水部１６ｂは取付部１６ａの上に配置され、第一止水パッキン１６ｂが溝１５ｂに挿入された姿勢で溝１５ｂから上枠１１側に向けて上方に突出するように配置され、止水をする機能を有する部位である。止水部１６ｂは図３からわかるように、中空の断面形状を備えていることが好ましい。これにより、人が踏むなどして倒れても再び起立する性能を高めることができる。止水部１６ｂは、人が踏むことや再び起立する必要がある観点から軟質の樹脂やゴムにより形成されることが好ましい。
また、止水部１６ｂの浴室側の面（浴室側の見付け面）にはひれ部１６ｃが設けられている。図３からわかるようにひれ部１６ｃは障子３０の閉鎖の姿勢で障子３０に接触して水密を図る部材である。
このような第一止水パッキン１６は、下枠本体１５の溝１５ｂに、取付部１６ａが差し込まれるようにして取り付けられる。
【００２２】
一方、第一止水パッキン１６の長手方向は後で説明するように、その両端が吊元側縦枠１７、及び戸先側縦枠２１にまで延び、その端面が第二止水パッキン２３に突き当てられるように配置される（図８参照）。
【００２３】
吊元側縦枠１７は枠体１０のうち吊元側となる縦枠を形成する長尺の部材であり、図４に表れる断面を有して長手方向に延在する。吊元側縦枠１７は、長手方向が開口部の縦縁に沿って配置され、上枠１１の吊元側端部と下枠本体１５の吊元側端部とを渡すようにして固定されるとともに建物躯体にも固定されている。吊元側縦枠１７の断面形状は特に限定されることはないが、本形態では障子３０との間隙により縦ガラリ４０が形成されている。
本形態では吊元側縦枠１７のうち浴室側及び更衣室側のそれぞれから戸先側縦枠２１側に向けて見付け方向左右に延びる片１７ａ、片１７ｂが設けられている。片１７ａの先端は更衣室側に向けて折り曲げられている。
【００２４】
戸先側縦枠２１は枠体１０のうち戸先側の縦枠を形成する長尺の部材であり、図４に表れる断面を有している。戸先側縦枠２１は、戸先側縦枠本体２２、第二止水パッキン２３、及び支持体２４を有して構成される。
【００２５】
戸先側縦枠本体２２は、枠体１０の戸先側縦枠２１を構成する部材のうち、建物躯体に固定される長尺の部材である。戸先側縦枠本体２２は、その長手方向が開口部の縦縁に沿って配置され、上枠１１の戸先側端部と下枠本体１５の戸先側端部とを渡すようにして固定されるとともに建物躯体にも固定されている。
図４からわかるように、戸先側縦枠本体２２は、当該断面において見込方向に延びる片２２ａを有している。そして該片２２ａの見込方向の更衣室側で、上記下枠１４の第一止水パッキン１６と概ね同じ見込み方向位置に見付け方向左右で吊元側縦枠１７側に向けて片２２ｂが延在し、その先端に溝２２ｃが形成されている。溝２２ｃは浴室側に開口を有する溝であり、戸先側縦枠本体２２の全長に亘って延びている。
【００２６】
第二止水パッキン２３は、止水部材を構成する部材の１つであり、図４に示した断面形状を有して戸先側縦枠本体２２の長手方向に沿って延在する長尺の部材である。第二止水パッキン２３は、図４に表れる断面形状において、取付部２３ａ、及びひれ部２３ｂを有して構成されている。
【００２７】
取付部２３ａは上記した戸先側縦枠本体２２の溝２２ｃに挿入されて第二止水パッキン２３を保持する機能を有する。取付部２３ａは第二止水パッキン２３を安定して保持する観点から硬質の樹脂やゴムにより形成されていることが好ましい。
ひれ部２３ｂは取付部２３ａから湾曲するように延びる部材であり、その先端が浴室側で戸先側縦枠本体２２に向かうように湾曲している。当該湾曲は障子３０側に向けて凸となっている。ひれ部２３ｂは、図４からわかるように障子３０の閉鎖の姿勢で障子に接触して水密を図る。
このような第二止水パッキン２３は、戸先側縦枠本体２２の溝２２ｃに、取付部２３ａが差し込まれるように取り付けられる。従って、ひれ部２３ｂが取付部２３ａよりも障子３０側となるように配置される。
【００２８】
一方、第二止水パッキン２３の長手方向は後で説明するように、その両端が上枠１１及び下枠本体１５にまで延び、その下枠本体１５側端部では、ひれ部２３ｂに第一止水パッキン１６の端面が突き当てられている（図８参照）。
【００２９】
支持体２４は、止水部材を構成する部材の１つであり、戸先側縦枠２２のうち、下枠１４側端部に配置される部材である。図５には、図２にＶ−Ｖで示した線に沿った矢視断面図で、支持体２４が表れる部位を示した。また図６には支持体２４の斜視図を表した。図６（ａ）はある方向からの斜視図、図６（ｂ）は他の方向からの斜視図である。
図５、図６（ａ）、図６（ｂ）からわかるように、支持体２４は、基部２４ａ及び支持部２４ｂを有している。
基部２４ａは、図５からわかるように、支持体２４を戸先側縦枠本体２２に固定させて支持体２４を保持する部位である。従って基部２４ａの形状は戸先側縦枠本体２２の形状に合わせて適宜変更できる。
支持部２４ｂは、基部２４ａから突出して延びる部位である。後述するように、当該支持部２４ｂが第二止水パッキン２３を更衣室側から押圧して第一止水パッキン１６との密着性を向上させる。
支持体２４は、第二止水パッキン１６をある程度の力で押圧して保持するとともに、障子３０からの押圧力に対して所定の変形が許容されるべきであることから、硬質の樹脂やゴムにより形成されていることが好ましい。
【００３０】
このような支持体２４は、次のように配置される。図７には支持体２４が配置された部位の入隅部の斜視図を示した。図７では、第一止水パッキン１６及び第二止水パッキン２３を除外して表している。すなわち、図５、図７からわかるように支持体２４は戸先側縦枠本体２２に、基部２４ａが固定されることにより取り付けられる。このとき、基部２４ａは戸先側縦枠本体２２の片２２ａと溝２２ｃとの間の片２２ｂに配置され、支持部２４ｂが第二止水パッキン２３のひれ部２３ｂ及び第一止水パッキン１６の端面に向けて延びるように設置される。支持部２４ｂが延びる方向は、第一止水パッキン１６の端面のうち、先端である障子３０に近い側の端部となる方向であることが好ましい。
従って支持体２４は、その大部分が第二止水パッキン２３のひれ部２３ｂの湾曲した凹側に隠蔽される。図８には、図７に対して、第一止水パッキン１６及び第二止水パッキン２３を装着した図を示した。図８からもわかるように支持体２４は、その大部分が第二止水パッキン２３のひれ部２３ｂの湾曲した凹側に隠蔽されている。また、図８から、戸先側の下部入隅部において、第一止水パッキン１６の端面が、第二止水パッキン２３の湾曲したひれ部２３ｂの凸側に突き当てられていることもわかる。
【００３１】
次に図１〜図４に戻り、障子３０について説明する。障子３０は、パネル３１、上框３２、下框３３、吊元框３４、戸先框３５を有しており、それぞれ次のような構成を備えている。
パネル３１は、矩形板状の面材であり、公知のものを用いることができる。これには例えばガラス板やポリスチレン樹脂等による樹脂板を挙げることができる。
【００３２】
上框３２は、上横框を形成する長尺の部材であり、図３に表れる断面を有して延在する。上框３２の断面形状は特に限定されることなく、通常のものを適用することができる。
また、上框３２のうち下框３３側端部には、該下框３３側に延びる２つの片が設けられ、その間にグレージングチャンネル３２ａが配置されている。
【００３３】
下框３３は、下横框を形成する長尺の部材であり、図３に表れる断面を有して長手方向に延在する。下框３３の断面形状は特に限定されることなく、通常のものを適用することができる。
また、下框３３のうち上框３２側端部には、該上框３２側に延びる２つの片が設けられ、その間にグレージングチャンネル３３ａが配置されている。
【００３４】
吊元框３４は、吊元側の縦框を形成する長尺の部材であり、図４に表れる断面を有して長手方向に延在する。
また、吊元框３４のうち戸先框３５側端部には、浴室側及び更衣室側のそれぞれに片が設けられ、その間にグレージングチャンネル３４ａが配置されている。
【００３５】
さらに吊元框３４の上端には、図３に表れているようにピボットヒンジで障子３０を開閉可能とするため、上側ピボット軸３０ｃが上方に向けて突出するように配置されている。
一方、吊元框３４の下端には、下枠本体１５に具備された下側ピボット軸１５ｃ（図３参照）を挿入して受ける軸受けが設けられている（不図示）。
【００３６】
また、吊元框３４のうち見付け方向左右の外側（戸先框３５とは反対側）には、見付け方向左右の外側に突出するように配置された水返し手段３４ｂが設けられている。水返し手段３４ｂは縦ガラリ４０による間隙により浴室から更衣室へ水が通過することを防止するための手段である。そのため、水返し手段３４ｂは、障子３０を閉鎖した姿勢で、見付け方向左右の外側に向かうにつれて浴室側に向かうように湾曲した返し片３４ｃを備えている。
【００３７】
戸先框３５は、戸先側の縦框を形成する長尺の部材であり、図４に表れる断面を有して長手方向に延在する。戸先框３５の断面形状は特に限定されることなく通常の形状を適用することができる。
本形態では、戸先框３５のうち吊元框３４側端部には、浴室側及び更衣室側のそれぞれに片が設けられ、その間にグレージングチャンネル３５ａが配置されている。
【００３８】
また、戸先框３５の中央位置には、図１、図２、図４からわかるように、開閉操作手段３６が設けられている。開閉操作手段３６としては、操作部３６ｃ及びこれに連動するラッチボルト３６ａを備えるなど、通常のものを適宜採用することができる。従って戸先側縦枠２２には対応した位置にラッチボルト受け３６ｄが配置されている
【００３９】
以上のような各構成要素を備える障子３０は、パネル３１の外周端部がグレージングチャンネル３２ａ、３３ａ、３４ａ、３５ａを介して上框３２、下框３３、吊元框３４、戸先框３５に挿入され、障子３０とされる。上框３２、下框３３、吊元框３４、及び戸先框３５はパネル３１の外周に沿って枠組みされ、互いに連結される。
【００４０】
以上のような枠体１０と障子３０とが次のように組み合わされて開口部装置１とされている。すなわち、上枠１１、下枠１４、吊元側縦枠１７、及び戸先側縦枠２１により形成された枠体１０の枠内に、障子３０を配置する。その際には下枠本体１５に設けられた下側ピボット軸１５ｃ（図３参照）を障子３０の吊元側框３４の下端に具備された軸受け（不図示）に挿入する。一方、吊元側框３４の上端に設けられた上側ピボット軸３０ｃを上枠１１に設けられた軸受け１１ａに挿入する（図３参照）。これにより障子３０をピボットヒンジを中心に揺動させることで開閉することが可能となる。なお、このときに吊元側縦枠１７と吊元側框３４との間には所定の間隙が設けられ、縦ガラリ４０が形成されている。
【００４１】
このように形成された開口部装置１では、障子の閉鎖の姿勢において、図３からわかるようにパッキン１１ｃを介して障子３０が上枠１１と接触して、また第一止水パッキン１６が障子３０に接触して上下の止水性が確保される。
一方、戸先側では図４からわかるように、第二止水パッキン２３を介して障子３０が戸先側縦枠２２を接触して戸先側の止水性が確保される。吊元側は上記のように縦ガラリ４０が形成されているので、パッキンによる止水は行われていないが、水返し手段３４ｂにより水が更衣室側へ侵入することを防止している。
【００４２】
戸先側の下端部に形成される入隅部では、図５、図８に示したように下枠１４に具備された第一止水パッキン１６の端面が戸先側縦枠２２に設けられた第二止水パッキン２３のひれ部２３ｂの湾曲した凸側に突き当てられている。また、支持体２４の支持部２４ｂが第二止水パッキン２３のひれ部２３ｂの湾曲した凹側から押圧する。
これにより、支持体２４の支持部２４ｂの先端がひれ部２３ｂを障子３０及び第一止水パッキン１６側に押圧し、ひれ部２３ｂとの密着性を向上させ、止水性を高めることができる。なお、支持体２４の支持部２４ｂがひれ部２３ｂと戸先側縦枠との距離より長く形成された場合、余剰の支持部２４ｂがひれ部２３ｂの中で折れ曲がり戸先側縦枠とひれ部との隙間を埋めることができ、さらに止水性が向上する。
【００４３】
図９には、障子３０の開放の姿勢から障子３０が閉鎖される過程における支持部材の挙動を説明するための図である。図９（ａ）は障子３０が開放された姿勢における、第一止水パッキン１６、第二止水パッキン２３、及び支持体２４の姿勢について説明する図、図９（ｂ）は障子３０が閉鎖された姿勢における、第一止水パッキン１６、第二止水パッキン２３、及び支持体２４の姿勢について説明する図である。いずれも図５と同様の視点からの図である。
【００４４】
図９（ａ）からわかるように、障子３０が開放の姿勢では、障子３０からの押圧力がないため、第一止水パッキン１６のひれ部１６ｃは浴室側に大きく突出し、第二止水パッキン２３のひれ部２３ｂも浴室側に大きく突出した状態である。
障子３０を閉鎖し、図９（ｂ）に示した姿勢にすると、障子３０の更衣室側の面（見付け面）からの押圧力により、第一止水パッキン１６のひれ部１６ｃは障子３０に押されて変形し、第二止水パッキン２３のひれ部２３ｂも同様に障子３０に押されて変形する。このとき、支持体２４の支持部２４ｂが第二止水パッキン２３のひれ部２３ｂの湾曲した内側から押圧し、支持体２４の支持部２４ｂの先端がひれ部２３ｂを障子３０及び第一止水パッキン１６側に押圧し、ひれ部２３ｂとの密着性を向上させ、止水性を高める。
ここで、仮に支持体２４が配置されない場合、第二止水パッキン２３のひれ部２３ｂはその湾曲形状により障子３０から押されたときに第一止水パッキン１６から離隔する方向（図９の紙面左）に移動してしまう虞がある。このように移動してしまうと第一止水パッキン１６と第二止水パッキン２３とが離れてしまい、この部分で通路が形成されて止水性が低下してしまう。特に開口部装置の建付けが理想の状態からずれ、障子３０が第二止水パッキン２３を押す力が弱くなるとその傾向が顕著になる。
これに対して本発明では支持体２４が第二止水パッキン２３のひれ部２３ｂを第一止水パッキン１６に押し付けるように作用するので、理想の建付け状態である場合のみでなく、若干の建付けの誤差があっても止水性を確保することができる。
【符号の説明】
【００４５】
１  開口部装置
１０  枠体
１１  上枠
１４  下枠
１５  下枠本体
１６  第一止水パッキン（止水部材）
１７  吊元側縦枠
２１  戸先側縦枠
２２  戸先側縦枠本体
２３  第二止水パッキン（止水部材）
２４  支持体（止水部材）
３０  障子
【図１】
2014109126.tif 000003
【図２】
2014109126.tif 000004
【図３】
2014109126.tif 000005
【図４】
2014109126.tif 000006
【図５】
2014109126.tif 000007
【図６】
2014109126.tif 000008
【図７】
2014109126.tif 000009
【図８】
2014109126.tif 000010
【図９】
2014109126.tif 000011